(57)【要約】【課題】本発明は、商取引の内容を伝票に記入およびデータ入力する伝票入力方法に関し、伝票に手書入力された内容を自動チェックして正しいときに登録してデータと伝票との突合せを不要として作業効率を向上させることを目的とする。【解決手段】ペンで伝票上に手書入力されたときに当該ペンの座標を検出するステップと、検出したペンの座標をもとに、文字認識するステップと、文字認識した結果について、テーブルに設定されている内容と照合してチェックするステップと、チェック結果が誤りと判明したときに手書入力者にエラーメッセージあるいは修正メッセージを音声で発声あるいは表示するステップと、チェック結果が正しいと判明したときに保存するステップとを有する伝票入力方法である。【選択図】  図１
2004341951.tif 000002
【特許請求の範囲】
【請求項１】
商取引の内容を伝票に記入およびデータ入力する伝票入力方法において、
ペンで伝票上に手書入力されたときに当該ペンの座標を検出するステップと、
前記検出したペンの座標をもとに、文字認識するステップと、
前記文字認識した結果について、テーブルに設定されている内容と照合してチェックするステップと、
前記チェック結果が誤りと判明したときに手書入力者にエラーメッセージあるいは修正メッセージを音声で発声あるいは表示するステップと、
前記チェック結果が正しいと判明したときに保存するステップと
を有する伝票入力方法。
【請求項２】
前記文字認識した結果について、テーブルに設定されている前記伝票上の各項目毎にチェックの有無、その内容に従いチェックすることを特徴とする請求項１記載の伝票入力方法。
【請求項３】
前記文字認識した結果について、テーブルに設定されている前記伝票上の各項目毎にチェックの有無、その内容に従いチェックし、正しいと判定されたときに、更に、他のテーブルを参照して該当する保存データおよび必要に応じて音声データに変換し、保存データを保存および必要に応じて音声データを手書入力者に音声で発声することを特徴とする請求項２記載の伝票入力方法。
【発明の詳細な説明】
【０００１】
【発明の属する技術分野】
本発明は、商取引の内容を伝票に記入およびデータ入力する伝票入力方法に関するものである。
【０００２】
【従来の技術】
従来、市場におけるせりなどの伝票処理は、手書の伝票を残す必要があるため、せりの内容（仕入れの内容および販売の内容）を手書で伝票に記入し、後に伝票をもとにコンピュータに入力して管理するようにしていた。
【０００３】
また、発声された音声を認識する技術として、特定対象業務に適応し、専門化向けの認識性能と十分な信頼性を持つ音声認識文書入力装置がある（特許文献１）。
【０００４】
【特許文献１】
特開２００２−２２９５８５号公報の〔００１６〕から〔００１７〕参照。
【０００５】
【発明が解決しようとする課題】
このため、せりなどの伝票に記入する内容を音声で発声して入力して音声認識しコンピュータに入力する方が効率的であるが、しかし、せりの内容を記載した手書の伝票を残す必要があると共に、音声認識した結果がときとして間違いがあるために後で手書伝票と突合せする手間が生じてしまうという問題があった。
【０００６】
また、従来の後者の音声認識文書入力装置では、特定対象業務に適応した専門分野向けの認識性能の高い音声入力が可能であるが、伝票に手書記入すると同時に発声する必要があり、音声入力結果と伝票に手書入力結果との突合せが要求されてしまい、効率的な伝票処理ができないという問題がある。
【０００７】
本発明は、これらの問題を解決するため、ペンで伝票にせりなどの内容を記入したときに併せて当該ペンの筆跡座標を検出して文字認識すると共に伝票上の該当項目毎に文字認識結果をテーブルと照合してチェックし、誤り時に即座に音声などでエラー通報をして修正あるいは再入力させ、正しいときに登録し、伝票に手書入力された内容を自動チェックして正しいときに登録してデータと伝票との突合せを不要として作業効率を向上させることを目的としている。
【０００８】
【課題を解決するための手段】
図１を参照して課題を解決するための手段を説明する。
【０００９】
図１において、伝票保持台１は、手書の伝票を保持すると共にペンで伝票に記入したときにその座標を検出したりするものであって、ここでは、超音波ペン１１および超音波受信機１２などから構成されるものである。
【００１０】
超音波ペン１１は、ペンに実装したものであって、ペンで伝票に手書すると当該ペンから超音波を送信したり、超音波と光を送信したりするものである。
【００１１】
超音波受信機１２は、超音波ペン１１からの超音波あるいは超音波と光を受信してペンの座標を検出するためのものである。
【００１２】
システム４は、文字認識手段４２、チェック手段４４、登録手段４５、データ変換チェックテーブル５１、データ変換テーブル５２などから構成されるものである。
【００１３】
文字認識手段４２は、超音波ペン１１で伝票に手書したときの座標をもとに文字認識するものである。
【００１４】
チェック手段４４は、文字認識結果について、データ変換チェックテーブル５１などを参照してチェックするものである。
【００１５】
登録手段４５は、チェックがＯＫのデータを登録するものである。
データ変換チェックテーブル５１は、文字認識した結果のチェック情報を登録したものである。
【００１６】
データ変換テーブル５２は、文字認識した結果（例えばコード）に対応づけてデータを登録したものである。
【００１７】
次に、動作を説明する。
超音波ペン１１で伝票に手書すると、当該超音波ペン１１からの超音波を超音波受信機１２が検出してその手書の座標を算出し、システム４を構成する文字認識手段４２が座標から文字認識を行い、チェック手段４４が文字認識結果についてデータ変換チェックテーブル５１などを参照してチェックし、チェック結果が誤りと判明したときに手書入力者にエラーメッセージあるいは修正メッセージを音声で発声あるいは表示し、チェック結果が正しいと判明したときに保存するようにしている。
【００１８】
この際、文字認識した結果について、データ変換チェックテーブル５１などに設定されている伝票上の各項目毎にチェックの有無、その内容に従いチェックするようにしている。
【００１９】
また、文字認識した結果について、データ変換チェックテーブル５１に設定されている伝票上の各項目毎にチェックの有無、その内容に従いチェックし、正しいと判定されたときに、更に、データ変換テーブル５２を参照して該当する保存データおよび必要に応じて音声データに変換し、保存データを保存および必要に応じて音声データを手書入力者に音声で発声するようにしている。
【００２０】
また、登録手段４５は伝票上の登録ボタンが押下されたときに保存データを登録するようにしている。
【００２１】
従って、ペンで伝票にせりなどの内容を記入したときに併せて当該ペンの筆跡座標を検出して文字認識すると共に伝票上の該当項目毎に文字認識結果をデータ変換チェックテーブル５１などと照合してチェックし、誤り時に即座に音声などでエラー通報をして修正あるいは再入力させ、正しいときに登録することにより、伝票に手書入力された内容を自動チェックして正しいときに登録してデータと伝票との突合せを不要として作業効率を向上させることが可能となる。
【００２２】
【発明の実施の形態】
次に、図１から図８を用いて本発明の実施の形態および動作を順次詳細に説明する。
【００２３】
図１は、本発明のシステム構成図を示す。
図１において、伝票保持台１は、市場でせり時などに手書の伝票を保持すると共にペンで伝票に記入したときにその座標を検出したりなどするものであって、ここでは、超音波ペン１１および超音波受信機１２などから構成されるものである。
【００２４】
超音波ペン１１は、伝票に手書するペン（例えばボールペン）に実装したものであって、ペンで伝票に手書すると当該ペンから超音波を送信したり、超音波と光を送信したりするものである。
【００２５】
超音波受信機１２は、超音波ペン１１から放射された超音波あるいは超音波と光を受信してペンの座標を検出するためのものである。
【００２６】
イヤホン等１３は、超音波ペン１１で伝票に手書したときに、間違い検出されたときに音声で手書の間違いを音声で聞いたりなどするためのものである。
【００２７】
端末２は、超音波受信機１２からの超音波ペン１１の座標信号を受信し、無線で無線ＬＡＮ送受信機３に送信したり、超音波ペン１１の座標信号をもとに文字認識してチェックした結果を受信したりなどするのものである。
【００２８】
無線ＬＡＮ送受信機３は、無線で送受信する機能を持った当該無線ＬＡＮ送受信機などの送受信機であって、端末２との間で無線で信号の送受信を行うものである。
【００２９】
システム４は、無線ＬＡＮ送受信機３と接続し、超音波ペン１１で伝票に手書したときにその座標を受信して文字認識したり、チェック結果を返答したりなどするものであって、ここでは、業務アプリケーション４１、文字認識手段４２、合成音声変換手段４３、チェック手段４４、登録手段４５、データ変換チェックテーブル５１、データ変換テーブル５２、伝票記入者テーブル５３、登録伝票ファイル５４などから構成されるものである。
【００３０】
業務アプリケーション４１は、各種業務アプリであって、ここでは、超音波ペン１１によって伝票に手書入力されたときに当該超音波ペン１１の座標をもとに文字認識した結果について、チェックしてＯＫのときに取り込んで各種処理（例えば仕入れ処理、販売処理など）を行うものである。
【００３１】
文字認識手段４２は、超音波ペン１１で伝票に手書したときに当該超音波ペン１１の座標をもとに文字認識するものである。
【００３２】
合成音声変換手段４３は、文字認識結果などを合成音声で発声するデータに変換するものである。
【００３３】
チェック手段４４は、超音波ペン１１で伝票に手書したときに当該超音波ペン１１の座標をもとに文字認識した結果について、データ変換チェックテーブル５１を参照し、正しいかチェックしたり、データ変換テーブル５２を参照してデータ変換したりなどするものである。
【００３４】
登録手段４５は、文字認識した結果について、チェックして正しいデータ、あるいは更にデータ変換した入力データを登録伝票ファイル５４に登録するものである。
【００３５】
データ変換チェックテーブル５１は、文字認識した結果のチェック情報を登録したものである（図７の（ａ）参照）。
【００３６】
データ変換テーブル５２は、文字認識した結果（例えばコード）に対応づけてデータを登録したものである（図７の（ｂ）参照）。
【００３７】
伝票記入者テーブル５３は、伝票に記入した記入者のコード（例えば伝票保持台１、端末２の装置番号）に対応づけて当該記入者名を登録したものである。
【００３８】
登録伝票ファイル５４は、超音波ペン１１で伝票に手書されたときの当該超音波ペン１１の座標をもとに文字認識してチェックしてＯＫのときに当該伝票の各項目に対応づけてデータを登録したものである。
【００３９】
次に、図１の構成の動作を説明する。
（１）超音波ペン１１で伝票に記入すると、当該超音波ペン１１から放射された超音波あるいは超音波と光が超音波受信機１２で受信され、端末２、無線ＬＡＮ送受信機３を経由してシステム４の文字認識手段４２が当該超音波ペン１１で伝票に記入された軌跡の座標をもとに当該伝票上のいずれの項目の入力欄に記入されたか、および文字認識する。
【００４０】
（２）  文字認識結果について、例えば図７の（ａ）のデータ変換チェックテーブル５１を参照し、入力した項目のフィールドに対応するデータ変換有無を参照し、なしのときはそのままとし、テーブル名が設定されていたときに当該設定されていたテーブル（例えばデータ変換テーブル５２）を参照して文字認識結果（コード）を文字列に変換（例えば”１２３”を”大根”と変換）する。この際、設定されいたテーブル、例えば図７の（ｂ）のデータ変換テーブル（品名テーブル）５２に文字認識結果に該当するものが登録されていなかったときは入力間違いとして修正メッセージ（あるいはエラーメッセージ）を合成音声してイヤホン等１３から伝票記入者にリアルタイムに知らせ、修正入力あるいは再入力させる。
【００４１】
尚、入力データを全て音声で発声し、データ変換チェックテーブル５１のデータ変換有無が「なし」の場合に入力データそのものを発声し、「あり」の場合に指定されたテーブル（品名テーブルなど）でヒットしたときにそのヒットして変換した後の文字列を音声発声したり、ミスヒット時には「がいうとうありません」と音声発声したりしてもよい。当該音声発声により、手書による誤入力（誤認識）、更に、テーブルで変換した後の文字列の間違い（例えばテーブル自体が間違い、あるいは手書者のコードの記憶間違い）を完全に防止でき、従来の手書伝票の内容と、登録データとの突合せを不要にできる。
【００４２】
（３）  文字認識結果についてチェックして正しいときに、入力データを保存する
（４）  伝票上の登録ボタンが超音波ペン１１で押下されたことが検出されたときに、（３）で保存しておいた、伝票上の各項目に入力されたデータを登録伝票ファイル５４に登録する。
【００４３】
以上によって、超音波ペン１１で伝票にせりなどの内容を記入したときに併せて当該超音波ペン１１の筆跡座標を検出して文字認識すると共に伝票上の該当項目毎に文字認識結果をデータ変換チェックテーブル５１などと照合してチェックし、誤り時に即座に音声などでエラー通報をして修正あるいは再入力させ、正しいときに登録することが可能となる。これにより、伝票に手書入力された内容を自動チェックして正しいときに登録してデータと伝票との突合せを不要として作業効率を向上させることが可能となる。以下順次詳細に説明する。
【００４４】
図２は、本発明の動作説明フローチャート（伝票起票から伝票登録処理）を示す。
【００４５】
図２において、Ｓ１は、超音波ペンを起動する。
Ｓ２は、伝票の入力フィールド毎に文字認識ソフトを起動する。これらＳ１、Ｓ２により、図１の超音波ペン１１およびシステム４を構成する文字認識手段４２が動作状態になったこととなる。
【００４６】
Ｓ３は、伝票入力処理が終了か判別する。ＹＥＳの場合には、Ｓ９で保存した入力データを登録（図１の登録伝票ファイル５４に登録）し、終了する。一方、ＮＯの場合には、Ｓ４に進む。
【００４７】
Ｓ４は、文字認識ソフトよりデータ入力応答が有りか判別する。ＹＥＳの場合には、Ｓ５に進む。ＮＯの場合には、Ｓ３を繰り返す。
【００４８】
Ｓ５は、入力データの変換有無をチェックし、対応するデータ変換テーブルを参照してデータを変換する。これは、超音波ペン１１で伝票の項目の入力フィールドに手書されたときの当該超音波ペン１１の軌跡の座標をもとに文字認識した結果について、図７の（ａ）のデータ変換チェックテーブル５１を参照して該当入力フィールドに対応するデータ変換有無欄になしのときはそのまま、有のときは設定されているデータ変換テーブル５２、例えば図７の（ｂ）のデータ変換テーブル（品名テーブル）５２を参照して文字認識結果を登録伝票への出力データに変換（例えば文字認識結果”１２３”を”大根”に変換）する。
【００４９】
Ｓ６は、入力データを保存か判別する。ここでは、ＹＥＳであるので、Ｓ７で入力データを保存し、Ｓ８に進む。ＮＯの場合には、Ｓ８に進む。
【００５０】
Ｓ８は、合成音声変換手段を起動し音声に変換し、出力する。これにより、例えば文字認識結果がデータ変換テーブル５２に登録されていなかったときはエラーとして、エラーメッセージを音声データに変換して手書入力者のイヤホン等１３から発声して当該手書入力者に入力したデータが間違いの旨を知らせる。そして、Ｓ３に戻り繰り返す。
【００５１】
以上によって、市場のせりなどで伝票に超音波ペン１１で手書すると、当該超音波ペン１１の軌跡座標をもとに文字認識し、当該文字認識結果についてデータ変換チェックテーブル５１などを参照し、更にデータ変換テーブル５２を参照してチェックし、正しいときは入力データを保存し、間違いあるいは登録されていなかったときにはエラーメッセージあるいは修正メッセージを音声で手書入力者に知らせ、修正あるいは再入力させ、手書入力者が伝票上の登録ボタンの領域を超音波ペン１１でクリックしたときに保存しておいた入力データを登録伝票ファイル５４に登録することが可能となる。
【００５２】
図３は、本発明の動作説明フローチャート（保存した入力データの登録処理）を示す。
【００５３】
図３において、Ｓ１１は、入力された伝票番号をキーに登録伝票ファイルをサーチする。これは、図２のフローチャートのＳ９で保存した入力データについて、登録伝票ファイル５４に登録する際に、既に同じ伝票番号の登録伝票ファイル５４が登録されているか否かをサーチする。
【００５４】
Ｓ１２は、同一伝票番号が有りか判別する。ＹＥＳの場合にば、同一伝票番号の登録伝票ファイル５４が既に登録されていたので、Ｓ１３で先頭の登録データ（配列１）に今回の登録データを追加し、Ｓ１４で今回の登録データを配列の最後に新規作成し、Ｓ１６に進む。一方、ＮＯの場合には、同一伝票番号の登録伝票ファイル５４が無いと判明したので、Ｓ１５で今回の登録データを新規作成し、Ｓ１６に進む。
【００５５】
Ｓ１６は、登録時間にシステムの日時を設定、伝票記入者テーブル５３を検索して記入者を設定する。これは、Ｓ１４で今回の登録データを配列の最後に新規作成した登録伝票ファイル５４、あるいはＳ１５で新規に作成した登録伝票ファイル５４について、日時、記入者を設定し、登録する（例えば後述する図５の（ｂ）の登録例のイメージに示すように、登録する）。
【００５６】
以上によって、伝票に新規に手書、あるいは２回目以降の手書によって入力して文字認識、チェックして保存した入力データ（図２のＳ９）について、同一伝票番号の登録伝票ファイル５４がないときは新規、あるときは今回の登録データを初回の登録データとして新規に登録および同一伝票番号の登録データ中の配列の最後に追加して登録すると共に、日時、記入者を登録することが可能となる。
【００５７】
図４は、本発明の動作説明フローチャート（登録データの画面表示処理）を示す。
【００５８】
図４において、Ｓ２１は、「伝票番号」の指定又は「伝票一覧」を選択する。これは、例えば後述する図８の（ａ）の登録伝票の画面例に示すように、当該画面上で、伝票番号を入力あるいは伝票一覧を選択する。
【００５９】
Ｓ２２は、「伝票一覧」が指定されたか判別する。ＹＥＳの場合には、「伝票一覧」が図８の（ａ）の画面上で指定（選択）されたのでＳ２３で登録伝票ファイルの全伝票番号を表示し、「伝票番号」を選択する。これは、例えば後述する図８の（ｂ）の伝票番号一覧を表示し、当該伝票番号一覧から表示させたい伝票番号を選択し、Ｓ２４に進む。一方、Ｓ２２のＮＯの場合には、画面上で表示させたい伝票番号が入力されたので、Ｓ２４に進む。
【００６０】
Ｓ２４は、指定「伝票番号」の登録データを表示する。例えば後述する図８の（ｃ）に示すように、指定された伝票番号の登録伝票ファイル５４の配列１、配列２・・・のデータを表示する。
【００６１】
以上によって、伝票番号を指定、あるいは伝票番号一覧から伝票番号を選択すると、指定／選択された伝票番号の登録伝票ファイル５４の内容が画面上に例えば図８の（ｃ），（ｄ）に示すように表示することが可能となる。
【００６２】
図５は、本発明の販売伝票（紙）への記入例を示す。ここで、斜線の部分が入力フィールド（超音波ペン１１で手書する部分）である。入力フィールドに超音波ペン１１で手書すると、当該超音波ペン１１の手書された軌跡の座標をもとに、いずれの項目のいずれの入力フィールドに手書された文字列を文字認識、チェックしてＯＫのときに、項目に対応づけてデータが登録される。
【００６３】
図６は、本発明の販売伝票の登録例を示す。登録例はイメージ的に示したものであり、伝票番号に対応づけて図示の下記の情報を登録する。
【００６４】
2004341951.tif 000003
ここで、登録時刻は登録伝票ファイル５４を登録した時刻、装置番号は伝票を記入した装置の番号、記入者は伝票に記入した記入者名、伝票番号は伝票に一意に付与した番号、品名コードは伝票に記入する品名コード（例えば大根の品名コード”１２３”）、品名は品名コードで表される一般名称（例えば大根）である。仕入データは市場のせりのために仕入れたデータであって、仕入れた品名の等級、量目、個数、総数である。販売データは市場のせりで販売したデータであって、販売した品名の等級、量目、個数、単価である。
【００６５】
図７は、本発明のテーブル例を示す。
図７の（ａ）は、データ変換チェックテーブル例を示す。データ変換チェックテーブル５１は、超音波ペン１１で伝票に手書されたときに当該超音波ペン１１の軌跡座標をもとに文字認識した結果について、チェックするためのものであって、ここでは、入力のあった文字認識（文字認識結果）に対応づけてデータ変換有無を登録したものである。ここで、入力のあった文字認識（文字認識結果）は、例えば既述した図５の各項目の入力フィールド毎にデータ変換有無（データ変換無のときは「なし」、データ変換有のときはデータ変換テーブル名を設定）したものである。例えば図５の伝票上の品名コードの入力フィールドに”１２３”と手書入力されたと文字認識された場合、図７の（ａ）の入力のあった文字認識”品名コードのフィールド”に対応づけてデータ変換有無”品名テーブル”と設定されているので、当該品名テーブルである図７の（ｂ）のデータ変換テーブル（品名テーブル）５２の入力値欄の該当する”１２３”のレコードの音声データ”だいこん”、登録伝票への出力データ”大根”を取り出すことができたので、当該文字認識結果は正しいと判定し、保存すると共に、必要に応じてイヤホン等１３から手書入力者が手書した品名”だいこん”を合成音声で発声する。一方、データ変換テーブル（品名テーブル）５２に登録されていない文字認識結果の場合には、エラーメッセージを音声でイヤホン等１３に出力し、修正、再入力させることが可能となる。
【００６６】
図７の（ｂ）は、データ変換テーブル（品名テーブル）例を示す。データ変換テーブル（品名テーブル）５２は、図７の（ａ）のデータ変換チェックテーブル５１のデータ変換有無欄に設定し、文字認識結果をチェックしたり、登録伝票への出力データ、音声データに変換するためのものであって、ここでは、図示の情報を対応づけて登録したものである。
【００６７】
・入力値：
・音声データ：
・登録伝票への出力データ：
・その他：
ここで、入力値は伝票に手書されてその軌跡座標をもとに文字認識した結果（入力値）である。音声データは入力値に対応する音声として発声するデータである。登録伝票への出力データは登録伝票ファイル５４に登録するデータである。
【００６８】
図７の（ｃ）は、伝票記入者テーブル例を示す。伝票記入者テーブル５３は、装置番号に対応づけて記入者名を図示の下記のように登録したものである。
【００６９】
・装置番号：
・記入者：
・その他：
ここで、装置番号は手書記入者が用いた端末２などの装置番号である。記入者は伝票に超音波ペン１１で手書入力した記入者である。
【００７０】
図８は、本発明の画面表示例を示す。
図８の（ａ）は、登録伝票の表示例（パソコン画面への表示）を示す。これは、既述した図１のシステム（パソコン等）４の画面上に、これから表示させようとする登録データの、伝票番号を直接に入力、あるいは伝票番号一覧を選択するための画面である。ここで、伝票一覧を指定した場合には図８の（ｂ）の画面に遷移し、伝票番号を入力した場合には図８の（ｃ）の画面に遷移する。
【００７１】
図８の（ｂ）は、図８の（ａ）の画面上で伝票一覧を指定（選択）した場合に表示される画面例を示す。図示の画面には、登録伝票ファイル５４として登録されている全てのものの伝票番号を抽出して一覧として表示したものである。伝票番号一覧から、登録内容を表示させたい１つを選択すると、図８の（ｃ）の画面に遷移する。
【００７２】
図８の（ｃ）は、図８の（ａ）で入力された伝票番号、あるいは図８の（ｂ）の伝票番号一覧から選択された伝票番号の内容を表示した例を示す。ここでは、図示のように、伝票番号の登録データのうち、配列１のデータを表示、配列２のデータを表示というように表示する。
【００７３】
図８の（ｄ）は、登録データの表示例を示す。図示の表示例は、販売伝票のイメージで登録内容を表示したものである。
【００７４】
（付記１）
商取引の内容を伝票に記入およびデータ入力する伝票入力方法において、
ペンで伝票上に手書入力されたときに当該ペンの座標を検出するステップと、
前記検出したペンの座標をもとに、文字認識するステップと、
前記文字認識した結果について、テーブルに設定されている内容と照合してチェックするステップと、
前記チェック結果が誤りと判明したときに手書入力者にエラーメッセージあるいは修正メッセージを音声で発声あるいは表示するステップと、
前記チェック結果が正しいと判明したときに保存するステップと
を有する伝票入力方法。
【００７５】
（付記２）
前記文字認識した結果について、テーブルに設定されている前記伝票上の各項目毎にチェックの有無、その内容に従いチェックすることを特徴とする付記１記載の伝票入力方法。
【００７６】
（付記３）
前記文字認識した結果について、テーブルに設定されている前記伝票上の各項目毎にチェックの有無、その内容に従いチェックし、正しいと判定されたときに、更に、他のテーブルを参照して該当する保存データおよび必要に応じて音声データに変換し、保存データを保存および必要に応じて音声データを手書入力者に音声で発声することを特徴とする付記２記載の伝票入力方法。
【００７７】
（付記４）
前記伝票上の登録ボタンが押下されたときに前記保存データを登録することを特徴とする付記１から付記３のいずれかに記載の伝票入力方法。
【００７８】
（付記５）
同一伝票番号に対する複数回の登録時に、同一伝票番号を付与した初回の登録データの登録および２回目以降の登録単位毎の登録データの登録をそれぞれ行い、登録された同一伝票番号の個々の登録データの内容とその担当者名、登録時間、および登録データを集計した内容を画面上に表示することを特徴とする付記１から付記４のいずれかに記載の伝票入力方法。
【００７９】
（付記６）
コンピュータに、
ペンで伝票上に手書入力されたときに当該ペンの座標を検出するステップと、
前記検出したペンの座標をもとに、文字認識するステップと、
前記文字認識した結果について、テーブルに設定されている内容と照合してチェックするステップと、
前記チェック結果が誤りと判明したときに手書入力者にエラーメッセージあるいは修正メッセージを音声で発声あるいは表示するステップと、
前記チェック結果が正しいと判明したときに保存するステップと
して動作させるための伝票入力プログラム。
【００８０】
【発明の効果】
以上説明したように、本発明によれば、ペンで伝票にせりなどの内容を記入したときに併せて当該ペンの筆跡座標を検出して文字認識すると共に伝票上の該当項目毎に文字認識結果をテーブルと照合してチェックし、誤り時に即座に音声などでエラー通報をして修正あるいは再入力させ、正しいときに登録する構成を採用しているため、手書入力された内容を自動チェックして正しいときに登録し、従来のデータと伝票との突合せを不要として作業効率を向上させることが可能となる。
【図面の簡単な説明】
【図１】本発明のシステム構成図である。
【図２】本発明の動作説明フローチャート（伝票起票から伝票登録処理）である。
【図３】本発明の動作説明フローチャート（保存した入力データの登録処理）である。
【図４】本発明の動作説明フローチャート（登録データの画面表示処理）である。
【図５】本発明の販売伝票（紙）への記入例である。
【図６】本発明の販売伝票の登録例である。
【図７】本発明のテーブル例である。
【図８】本発明の画面表示例である。
【符号の説明】
１：伝票保持台
１１：超音波ペン
１２：超音波受信機
１３：イヤホン等
２：端末
３：無線ＬＡＮ送受信機
４：システム（パソコン等）
４１：業務アプリケーション
４２：文字認識手段
４３：合成音声変換手段
４４：チェック手段
４５：登録手段
５１：データ変換チェックテーブル
５２：データ変換テーブル
５３：伝票記入者テーブル
５４：登録伝票ファイル
【図１】
2004341951.tif 000004
【図２】
2004341951.tif 000005
【図３】
2004341951.tif 000006
【図４】
2004341951.tif 000007
【図５】
2004341951.tif 000008
【図６】
2004341951.tif 000009
【図７】
2004341951.tif 000010
【図８】
2004341951.tif 000011